(57)【要約】【課題】剥離後に接着剤を再度塗布しなくても再接着可能な配送伝票を提供すること。【解決手段】接着剤が塗布された第一の接着剤領域及び第二の接着剤領域を有する第一の紙と、当該第一の紙と積層するように設けられ、樹脂材が塗布された樹脂材領域を有する第二の紙と、を有し、第一の紙と第二の紙とは、第一の接着剤領域と樹脂材領域とが接触するように積層されており、かつ、第二の接着剤領域が、第二の紙の樹脂材領域を介することなく第二の紙と接触するように積層されていることを特徴とする積層用紙。【選択図】図４
2015039822.tif 000002
【特許請求の範囲】
【請求項１】
接着剤が塗布された第一の接着剤領域及び第二の接着剤領域を有する第一の紙と、
当該第一の紙と積層するように設けられ、樹脂材が塗布された樹脂材領域を有する第二の紙と、を有し、
前記第一の紙と前記第二の紙とは、前記第一の接着剤領域と前記樹脂材領域とが接触するように積層されており、かつ、前記第二の接着剤領域が、前記第二の紙の樹脂材領域を介することなく前記第二の紙と接触するように積層されていることを特徴とする積層用紙。
【請求項２】
前記接着剤は、ゴム系の接着剤であり、かつ前記樹脂材はアクリル系の樹脂材であることを特徴とする請求項１に記載の積層用紙。
【請求項３】
前記第一の紙と前記第二の紙とが剥離された際に、前記第一の紙の前記第一の接着剤領域の接着力は、前記第一の紙の前記第二の接着剤領域の接着力より大きいことを特徴とする請求項１または２に記載の積層用紙。
【請求項４】
前記第一の接着剤領域と前記第二の接着剤領域とは、連続して設けられていることを特徴とする請求項１乃至３のいずれか１項に記載の積層用紙。
【請求項５】
前記積層用紙は伝票用紙であり、所定の方向に向かって印字装置内を搬送されることで印字が行われるように用いることができ、
前記第二の接着剤領域は、前記所定の方向に関して前記伝票の上流側の辺に沿って設けられていることを特徴とする請求項１乃至４のいずれか１項に記載の積層用紙。
【請求項６】
前記第二の接着剤領域は複数あり、前記辺に所定の間隔で配置されていることを特徴とする請求項５に記載の積層用紙。
【請求項７】
接着剤が塗布された第一の接着剤領域及び第二の接着剤領域を有する第一の紙を用意する第一の用意工程と、
樹脂材が塗布された樹脂材領域を有する第二の紙を用意する第二の用意工程と、
前記第一の接着剤領域と前記樹脂材領域とが接触するように積層させ、かつ、前記第二の接着剤領域が、前記第二の紙の樹脂材領域を介することなく前記第二の紙と接触するように積層させる積層工程と、
を有することを特徴とする積層用紙の製造方法。
【請求項８】
前記第一の用意工程は、
前記第一の接着剤領域と前記第二の接着剤領域とを一括して塗布する塗布工程とを有することを特徴とする請求項７に記載の積層用紙の製造方法。
【発明の詳細な説明】
【技術分野】
【０００１】
積層用紙及び、積層用紙の製造方法に関する。
【背景技術】
【０００２】
配達時の荷物などに添付される配送伝票では、複数のカット紙を重ねることで形成されており、これらのカット紙の一部を剥がして配達控えとして用いたりすることが知られている。
【０００３】
特許文献１には、複数の紙を剥離可能な接着剤で貼着して作成された配送伝票が開示されており、容易に紙を剥離可能な構成が開示されている。
【先行技術文献】
【特許文献】
【０００４】
【特許文献１】特開２０１０−２８０１６１号公報
【発明の概要】
【発明が解決しようとする課題】
【０００５】
ところで、一度剥がした紙は保管のために別の物（例えば、商品の配送箱や、剥がした紙を管理するためのバインダー等）に貼り付けることが行われているが、この時にのりなどの接着剤を用いて貼り付けを行うと煩雑であるため、剥がした紙に再度接着可能な機能をもたせたいという要望がある。
【０００６】
しかしながら、特許文献１では、一度剥離した後に再度添付するということは想定しておらず、一度剥離した後に再度接着させることはできない。
【０００７】
そこで本願発明は、剥離後に接着剤を再度塗布しなくても再接着可能な配送伝票を提供することを目的とする。
【課題を解決するための手段】
【０００８】
本発明は、接着剤が塗布された第一の接着剤領域及び第二の接着剤領域を有する第一の紙と、当該第一の紙と積層するように設けられ、樹脂材が塗布された樹脂材領域を有する第二の紙と、を有し、前記第一の紙と前記第二の紙とは、前記第一の接着剤領域と前記樹脂材領域とが接触するように積層されており、かつ、前記第二の接着剤領域が、前記第二の紙の樹脂材領域を介することなく前記第二の紙と接触するように積層されていることを特徴とする。
【発明の効果】
【０００９】
本発明によれば、剥離後に接着剤を再度塗布しなくても再接着可能な配送伝票を提供することができる。
【図面の簡単な説明】
【００１０】
【図１】本発明の実施の形態における配送帳票の構成を示す図である。
【図２】本発明の実施の形態におけるカット紙１の裏面の構成とカット紙２の表面の構成を示す図である。
【図３】本発明の実施の形態におけるカット紙１とカット紙２とが接着し、かつカット紙１を透過した配送伝票を上から見た図である。
【図４】本発明の実施の形態におけるカット紙１とカット紙２とが接着し、かつカット紙１を透過した配送伝票を上から見た図の一部を拡大した図である。
【図５】本発明の実施の形態における剥離後のカット紙１の裏面の拡大図である。
【図６】本発明の実施の形態における配送伝票の利用方法の一例を説明する図である。
【図７】本発明の実施の形態における配送伝票の利用方法の一例を説明する図である。
【図８】本発明の実施の形態におけるカット紙１とカット紙２とが接着し、かつカット紙１を透過した配送伝票を上から見た図の一部を拡大した図である。
【図９】本発明の実施の形態におけるカット紙１とカット紙２とが接着し、かつカット紙１を透過した配送伝票を上から見た図の一部を拡大した図である。
【図１０】本発明の図４、図８、図９における第一の接着剤領域をどのくらいの幅にすれば、カット紙１が最も剥がしやすいかを表した、実験データである。
【発明を実施するための形態】
【００１１】
以下、図面を用いて本発明の実施の形態を説明する。
＜図１の説明＞
【００１２】
図１は、本発明の実施の形態における配送帳票の構成を示す図である。
【００１３】
なお、配送伝票（伝票用紙）は、本発明における、積層用紙の一例である。
【００１４】
カット紙１（接着剤が塗布された第一の接着剤領域及び第二の接着剤領域を有する第一の紙）とカット紙２（第一の紙と積層するように設けられ、樹脂材が塗布された樹脂材領域を有する第二の紙）とが重ね合わさって１枚のカット紙型の配送伝票３が形成される。通常、工場において、２枚のロール紙を重ね合わせた後、カットすることで、カット紙型の配送伝票３が生産されることになる。また、本実施の形態では、配送伝票は、２層構造となっているが、必ずしも２層に限定されるものではない。つまり、３層以上で構成されていたとしてもそのうちの２層により実現することができればよいからである。
【００１５】
配送伝票３の表面・裏面は、プリンタ（印字装置）で印刷可能な領域となっている。
【００１６】
なお、配送先の宛名欄や商品の明細欄等が配送伝票３の表面等にプレプリントされていてもよい。プレプリントされている配送伝票の場合、その欄の中に宛名や商品明細等をプリントすることとなる。一方、宛名欄や明細欄等がない場合は、宛名欄・宛名、明細欄・商品明細等を同時にプリントすることとなる。商品明細が印刷された部分を納品書として利用することも可能である。また、ピッキングリスト、送り状や受領書が印刷されていてもよい。
＜図２の説明＞
【００１７】
図２は、本発明の実施の形態におけるカット紙１の裏面の構成とカット紙２の表面の構成を示す図である。
【００１８】
カット紙１の裏面には、接着剤２１が均等に間隔を空けて塗布（配置）されている。
【００１９】
カット紙１の裏面の開け口２２を構成する２辺上に塗布される接着剤２１の間隔は、１５ｍｍ程度である。
【００２０】
また、プリンタ（電子写真）等で配送伝票３に印刷すべく、プリンタに配送伝票３が搬送される際に、カット紙１の裏面の搬送方向側（上流側）となる辺上に塗布される接着剤２１の間隔は、１０ｍｍとなっている。
【００２１】
なお、上記の辺以外の辺上に塗布される接着剤２１の間隔は１０ｍｍでも良いし、その他の間隔でも良い。
【００２２】
開け口２２を構成する直交する２辺上に塗布される接着剤２１の間隔を他の辺上に塗布される接着剤２１の間隔より広く取ることで、カット紙１を剥がすことが容易になる。
【００２３】
また、カット紙１の裏面の搬送方向側となる辺上に塗布される接着剤２１の間隔を、他の辺上に塗布される接着剤２１の間隔より狭く取ることで、プリンタに搬送される際にカット紙１が引っ張られて、カット紙２から剥がれるリスクを軽減できる。
【００２４】
なお、接着剤２１としては、エマルジョン系ののりやゴム系ホットメルトのり（ゴム系ホットメルト接着剤）を使用することができるが、ゴム系のホットメルトのりを用いることがより好ましい。これは従来から用いられている水性のエマルジョンのりは、水性であるため塗布する際に紙に浸透するため、剥離すると剥離用紙がカールしてしまうことがあるが、ホットメルトのりは固形であるため、塗布する際に紙に浸透することはないため、剥離時に剥離用紙がカールすることがないからである。
【００２５】
さらに、ゴム系のホットメルトのりは、水性のエマルジョンのりと比べてにおいが少ないため製造時に換気設備等を設ける必要がないため、エマルジョンのりと比較して製造コストを低減することもできる。
【００２６】
また、エマルジョンのりは、ホットメルトのりと比較して接着力が弱いため、エマルジョンのりを使用する場合は、カット紙１の裏面すべてにエマルジョンのりを塗布する必要があり、コストが余計にかかることも懸念される。さらに、カット紙１の裏面すべてにエマルジョンのりを塗布した場合には、カット紙１を剥がした際に、カット紙２の表面にエマルジョンのりの跡が残ったり、カット紙２の表面に印刷されていた広告等の色がカット紙１の裏面に写ったりするため、ホットメルトのりのほうが好ましい。
【００２７】
開け口２２は、カット紙１を剥がす際に取っ手となる領域であり、開け口２２の領域には、接着剤２１が塗布されていない。そのため、人が開け口２２に触れても手がべとつくことはない。
【００２８】
なお、カット紙１（裏面）の接着剤２１が塗布されない領域（印刷可能領域２５）は印刷領域として利用することができる。そのため、例えば、広告を印刷するための印刷領域として活用すること等が可能となる。つまり、発信すべき情報（伝えたい情報や、伝えるべき情報のことをいう）を印刷することで、新たな情報伝達媒体として利用することが可能となる。
【００２９】
カット紙２（表面）には、樹脂材２３（図２の「カット紙２（表面）」の斜線の領域）が塗布されている。樹脂材２３が塗布される領域は、少なくともカット紙１の接着剤２１が塗布されている領域に相対する領域の一部である。つまり、第一の紙と第二の紙とは、第一の接着剤領域と樹脂材領域とが接触するように積層される。なお、樹脂材２３は、アクリル系のシリコン剤である。また、本発明の実施の形態では、樹脂材を例としているが、剥離処理が施されていれば、これに限られるものではない。例えば、蝋が塗布されていてもよい。
【００３０】
なお、カット紙２（表面）の樹脂材２３が塗布されない領域（印刷可能領域２４）は、印刷可能領域２５と同様に、印刷領域として利用することができる。
【００３１】
接着剤２１を用いることにより、カット紙１とカット紙２とが接着されることになる。
【００３２】
最後に、本発明の実施の形態では、カット紙１の裏面に接着剤２１を塗布し、カット紙２の表面に樹脂材２３を塗布する実施の形態で説明したが、塗布する面は、用途や目的に応じて適時選択できるものであり、カット紙１の裏面に樹脂材２３を塗布し、カット紙２の表面に接着剤２１を塗布する実施の形態であってもよい。
＜図３の説明＞
【００３３】
図３は、本発明の実施の形態におけるカット紙１とカット紙２とが接着し、かつカット紙１を透過した配送伝票を上から見た図である。図３に示す通り、カット紙１に塗布された接着剤２１は、カット紙２の樹脂材２３が塗布された領域（図３の斜線の領域）と、樹脂材２３が塗布されていない領域にそれぞれに（連続して、一括で）接着している（第一の接着剤領域と樹脂材領域とが接触するように積層されており、かつ、第二の接着剤領域が、第二の紙の樹脂材領域を介することなく第二の紙と接触するように積層されている）。
【００３４】
なお、詳細は図４を用いて説明する。
＜図４の説明＞
【００３５】
図４は、本発明の実施の形態における透過したカット紙１とカット紙２が接着した配送伝票の断面を上から見た図の一部を拡大した図である。
【００３６】
図４に示す通り、カット紙１に塗布された接着剤２１は、直径２ｍｍの円形であり、第一の接着剤領域（左の半円）が、カット紙２の樹脂材２３（図４の斜線の領域）が塗布された領域（樹脂領域）と接触し、第二の接着剤領域（右の半円）が、樹脂材２３が塗布されていない領域と接触している。
【００３７】
そうすることで、カット紙２の樹脂材２３が塗布された領域と接触する接着剤２１の第一の接着剤領域は、樹脂材２３が塗布された樹脂材領域と接触することにより、パルプ等が接着剤２１の第一の接着剤領域の接着面に付着しないため、接着剤２１の接着機能を残した上で、カット紙１を簡単に貼ったり剥がしたりすることができる状態での仮止めが可能となる。また、樹脂材２３が塗布されていない領域（樹脂領域）と接着剤２１の第二の接着剤領域とが接触する部分は、樹脂材２３と接触しないことにより、樹脂材２３が塗布された樹脂材領域と接触する接着剤２１の第一の接着剤領域よりも強くカット紙１とカット紙２が仮止めされた状態となる。
【００３８】
これにより、接着剤２１の第一の接着剤領域の接着力が維持できなくなっても、接着剤２１の第二の接着剤領域が、再度カット紙１とカット紙２を接着させる際に接着力を維持できる。
【００３９】
また、接着剤２１をカット紙1の裏面全面に塗布しないことにより、プリンタ走行を阻害しない程度にカット紙１とカット紙２がしっかり接着された状態となり、また、剥がす時には、カット紙１とカット紙２が強く仮止めされている部分が、極わずかな１ｍｍの半円のみであることから手軽に簡便に剥がせる（後述する図１０に実験データを示す）ことで機能性が増す。
【００４０】
更に、カット紙２表面に印刷されていた広告等の色がカット紙１の裏面に写ったりする可能性も低減できる。
【００４１】
なお、図１０に、図４、図８（後述）、図９（後述）における第一の接着剤領域をどのくらいの幅にすれば、カット紙１が最も剥がしやすいかを表した、実験データを示す。なお、実験には、接着剤２１としてゴム系ホットメルトのりを使用し、樹脂材としてアクリル系のシリコン剤を使用している。
【００４２】
図１０では、「×」でカット紙１が剥がしにくいことを示し、「○」でカット紙１が剥がしやすいことを示し、「△」でカット紙１が少し剥がしにくいことを示している。
【００４３】
なお、本実施例で、カット紙１に塗布された接着剤２１の、カット紙２の樹脂材２３が塗布された領域と重なる部分の接着剤を１ｍｍとしているが、仮に１ｍｍ以上にすると、その分、カット紙１を剥がした際にカット紙１に残る接着剤２１の量が増えるため、剥がしたカット紙１が、必要以上に手などにつきやすくなってしまい、不快感がある。
【００４４】
また、本実施例で、カット紙１に塗布された接着剤２１の、カット紙２の樹脂材２３が塗布されていない領域と重ならない部分も同様に１ｍｍとしているが、仮に２ｍｍ以上にすると、接着力が強すぎて、カット紙１を剥がした際に、カット紙２が破れてしまう場合がある。そのため、カット紙１に塗布された接着剤２１の、カット紙２の樹脂材２３が塗布された領域と重なる部分と、樹脂材２３が塗布されていない領域と重ならない部分の接着剤は、それぞれ１ｍｍずつが最適である。
【００４５】
なお、本実施例では、接着剤２１を直径２ｍｍの円形としたが、他の実施例として、幅が２ｍｍの四角形等でも良い。
＜図８の説明＞
【００４６】
本発明の実施の形態におけるカット紙１とカット紙２とが接着し、かつカット紙１を透過した配送伝票を上から見た図の一部を拡大した図であり、図４の変形例である。
【００４７】
図８では、第一の接着剤領域を有する接着剤２１と第２の接着剤領域を有する接着剤２１とに（複数に）分かれており、第一の接着剤領域は樹脂材２３が塗布された樹脂材領域（図８の斜線部）と接触し、第二の接着剤領域は、樹脂材領域を介することなくカット紙２と接触している。
＜図９の説明＞
【００４８】
図９は、本発明の実施の形態におけるカット紙１とカット紙２とが接着し、かつカット紙１を透過した配送伝票を上から見た図の一部を拡大した図であり、図４の変形例である。
【００４９】
図９では、接着剤２１の中に収まるように樹脂材（図９の斜線部）が塗布され、第一の接着剤領域（図９の斜線部と同じ領域）は樹脂材２３が塗布された樹脂材領域（図９の斜線部）と接触し、第二の接着剤領域（点線の丸のうち、斜線部を除く領域）は、樹脂材領域を介することなくカット紙２と接触している。
【００５０】
なお、図４と、図９に示すように、カット紙１に塗布された接着剤２１それぞれが、カット紙２の樹脂材２３が塗布された領域（図３の斜線の領域）と、樹脂材２３が塗布されていない領域それぞれに接着するように塗布することで、図８のように、第一の接着剤領域を有する接着剤２１と第２の接着剤領域を有する接着剤２１とに分けて塗布する必要がなく、接着剤２１をカット紙１に塗布するのにかかる時間を短縮できる。
＜図５の説明＞
【００５１】
図５は、本発明の実施の形態における剥離後のカット紙１の裏面の拡大図である。
【００５２】
剥離後のカット紙１に残る接着剤２１のうち、カット紙２の樹脂材２３（図５の斜線の領域）が塗布された領域と接着していた部分、つまり、第一の接着剤領域は、パルプが接着面に付着しないため、接着機能を維持できる。そのため、カット紙１を簡単にカット紙２に貼ったり剥がしたりすることが可能となる。
【００５３】
一方で、剥離後のカット紙１に残る接着剤２１のうち、樹脂材２３が塗布されていない領域と接着していた部分、つまり、第二の接着剤領域（図５の斜線部）にも、カット紙２の樹脂材２３が塗布された領域と接着していた部分（第一の接着剤領域）ほどではないが、カット紙２の表面よりも多く接着剤２１が残っている。これは、通常、カット紙の裏面は、表面に比べてざらついているため吸着力が強く、そのため、本実施例のようにカット紙の表面と裏面を貼り合わせた場合には、裏面の方に接着剤２１が多く残ることとなる。ただし、第二の接着剤領域に残る接着剤２１は、樹脂材２３が塗布された樹脂材領域を介さずカット紙２と接触することにより、パルプが接着面に付着するため、手などに接着剤がつくことはほとんどない。
【００５４】
このように、接着剤２１が接着機能を維持したまま、カット紙１に多く残ることで、剥がしたカット紙１を、シール紙のように商品の配送箱に貼ることもできる。そのため、例えば、剥がしたカット紙１を配送伝票のラベルとして利用することができるため、別途配送伝票のラベルを用意する必要がなくなることから、紙資源の有効活用につながるという効果がある。
＜図６の説明＞
【００５５】
図６は、本発明の実施の形態における配送伝票の利用方法の一例を説明する図である。
【００５６】
なお、図６のカット紙１の裏面と、後述する図７のカット紙２の表面を貼り合わせることで、配送伝票を作成する。
【００５７】
カット紙１の表面は、プリンタで印刷可能な領域である。図６の例では、「ピッキングリスト」、「送り状」、「受領書」、「商品明細」が印刷されている。
【００５８】
カット紙１の「ピッキングリスト」の裏面には、図３・４と同様に、接着剤２１が間隔を空けて塗布されており、かつ、接着剤２１は、カット紙２と貼り合わせた際に、カット紙２の樹脂材２３が塗布された領域と、樹脂材２３が塗布されていない領域それぞれに接着している。
【００５９】
ピッキングリストは、工場で業者が配送する荷物をピッキングした後に帳票に貼り付けて管理する。
【００６０】
開け口６３は、図２の開け口２２と同様である。
【００６１】
ミシン目６１とスリット６２は、何れも切り取ることを目的とした切れ目である。ただし、切り込みの長さが異なる（ミシン目は切り込みが短く、スリットは切り込みが長い）。図６の例では、ミシン目６１とスリット６２をそれぞれ分けているが、何れか一方であってもよい。用途や目的により使い分けることができる。
【００６２】
接着剤６４は、接着剤２１と同様ののりであるが、接着剤２１のように丸い形状で間隔を空けて塗布されるものではなく、所定の領域全面（図６の「カット紙１（裏面）」の斜線で塗りつぶした領域）に塗布される。
【００６３】
「商品明細」欄の裏面には、図３・４と同様に、接着剤２１が間隔を空けて塗布されており、かつ、接着剤２１は、カット紙２と貼り合わせた際に、カット紙２の樹脂材２３が塗布された領域と、樹脂材２３が塗布されていない領域それぞれに接着している。また、商品明細の欄の裏面に塗布される接着剤２１は、搬送方向側は間隔が狭くなっている。
【００６４】
更に、「商品明細」欄の裏面には、広告（１）が印刷可能であり、例えば、顧客固有のメッセージを印刷することが可能である。また、「商品明細」は、剥がして別のものに貼り付けることも可能である。
【００６５】
「送り状」、「受領書」は、配送業者が剥がして、シール紙のように商品の配送箱に貼る。なお、「受領書」については、商品配送後に、配送したことを確認するための配送控え欄として、切り取り用ミシン目６１で切り取って持ち帰る。
【００６６】
なお、図６では、「送り状」と「受領書」の裏面に接着剤６４を使用したが、他の実施例として、接着剤２１を使用して配送箱に貼ってもよい。
＜図７の説明＞
【００６７】
図７は、本発明の実施の形態における配送伝票の利用方法の一例を説明する図である。
【００６８】
図６のカット紙１の裏面と、図７のカット紙２の表面を貼り合わせることで、配送伝票を作成する。
【００６９】
樹脂材２３は、図２のものと同様であり、カット紙２の表面の所定の領域に塗布される。
【００７０】
広告（２）の領域は、カット紙１の「ピッキングリスト」の領域に対応する領域であり、樹脂材２３が塗布されていない領域には、例えば、顧客固有のメッセージを印刷することが可能である。
【００７１】
広告（３）は、カット紙１の「送り状」「受領書」の領域に対応する領域であり、樹脂材２３が塗布されていない領域には、例えば、顧客固有のメッセージを印刷することが可能である。
【００７２】
広告（４）は、カット紙１の「商品明細」の領域に対応する領域であり、樹脂材２３が塗布されていない領域には、例えば、顧客固有のメッセージを印刷することが可能である。
【００７３】
なお、商品明細領域に対応するカット紙１とカット紙２の間は、袋として利用することができる。
【００７４】
袋には、付録等を封入することができるため、様々な用途に利用することができる。例えば、配送する商品Ａに関連する商品Ｂのサンプルを封入することで、商品Ｂの販売促進に役立てること等ができる。
【００７５】
その他、企業とタイアップするといった使い方も考えられる。袋に入るサンプルであれば何でもよく、例えば、化粧品や日用品のサンプル，シャンプー／リンス／香水／ティッシュー／ティーバック／コーヒー／その他花の種／健康食品／食品／メッセージカード／クーポン券等を封入することができる。
【００７６】
なお、「送り状」、「受領書」、「ピッキングリスト」を剥がした後の配送伝票は、配送箱の中に入れられる。
【００７７】
以上、本発明によれば、剥離される側のカット紙の樹脂材が塗布された領域と、樹脂材が塗布されていない領域とに重なるように、剥離する側のカット紙に接着剤を塗布することで、接着剤が塗布されたカット紙を剥がす際に容易に剥がせ、再接着も可能となる。
【００７８】
また、接着剤が接着機能を維持したまま、剥がしたカット紙に多く残ることで、剥がしたカット紙を、シール紙のように別のものに貼ることが可能となる。
【符号の説明】
【００７９】
接着剤  ２１
開け口  ２２
樹脂材  ２３
印刷可能領域  ２４
印刷可能領域  ２５
【図１】
2015039822.tif 000003
【図２】
2015039822.tif 000004
【図３】
2015039822.tif 000005
【図４】
2015039822.tif 000006
【図５】
2015039822.tif 000007
【図６】
2015039822.tif 000008
【図７】
2015039822.tif 000009
【図８】
2015039822.tif 000010
【図９】
2015039822.tif 000011
【図１０】
2015039822.tif 000012